(57)【要約】      （修正有）【課題】激震に適しており、しかも吊下支持杆の吊下角度に融通性を持った配管支持具用振止め吊下具を提供する。【解決手段】タンバックル型の吊下具本体１の頂部板１１が略円弧を描く山形状に形成されており、この山形状の頂部板に該頂部板の長手方向に長径を有する長孔１２が少なくとも一つ穿設され、該長孔に吊下支持杆を螺合固定するナット部材１３が回転自在に且つ長径方向に遊動可能に取付けられ、前記頂部板の両端が互いに近接する方向に延伸され、この吊下具本体の中心線に略一致状態で当接乃至は略平行状態で近接することで二枚の平板状の支持部が形成され、この二枚の支持部にはボルトを挿通できる透孔が貫通状態で穿設された構成とする。【選択図】図１
0003148848.tif 000002
【実用新案登録請求の範囲】
【請求項１】
タンバックル型の吊下具であって、
タンバックル型の吊下具本体の頂部板が略円弧を描く山形状に形成されており、この山形状の頂部板に該頂部板の長手方向に長径を有する長孔が少なくとも一つ穿設され、該長孔に吊下支持杆を螺合固定するナット部材が回転自在に且つ長径方向に遊動可能に取付けられ、前記頂部板の両端が互いに近接する方向に延伸され、この吊下具本体の中心線に略一致状態で当接乃至は略平行状態で近接することで二枚の平板状の支持部が形成され、この二枚の支持部にはボルトを挿通できる透孔が貫通状態で穿設された構成であることを特徴とする配管支持具用振止め吊下具。
【請求項２】
前記長孔に取付けられたナット部材の底面に当接することで該ナット部材の前記長孔からの脱落を防止する脱落防止板が、前記頂部板の略円弧より小径の同心円弧を描く山形状の板材であって前記頂部板の内側に略平行に配設された構成であることを特徴とする請求項１に記載の配管支持具用振止め吊下具。
【請求項３】
前記脱落防止板が、一枚構成の板材から成り、該板材の両端部を吊下具本体の内側に溶接・固着・接着・カシメ・ネジ止めの如き固定手段で該吊下具本体と一体化した構成であることを特徴とする請求項２に記載の配管支持具用振止め吊下具。
【請求項４】
前記長孔が、前記頂部板の中央を跨いで長手方向両側に延びる一つの長孔であることを特徴とする請求項１〜３のいずれかに記載の配管支持具用振止め吊下具。
【請求項５】
前記長孔が、前記頂部板の長手方向に沿って並ぶ少なくとも二つの長孔であることを特徴とする請求項１〜３のいずれかに記載の配管支持具用振止め吊下具。
【請求項６】
前記支持部に穿設された透孔に挿通するボルト・ナットにより配管支持具を固定し、
前記長孔に取付けられたナット部材に吊下支持杆の一端を螺合固定し、
前記吊下支持杆の他端を、天井スラブ等の取付面に吊下状態で固定することで、配管を振止め状態で吊下支持可能な構成であることを特徴とする請求項１〜５のいずれかに記載の配管支持用振止め吊下具。
【請求項７】
前記吊下支持杆の吊下が略鉛直方向での吊下を含む構成であることを特徴とする請求項６に記載の配管支持具用振止め吊下具。
【請求項８】
天井スラブ等の取付面に取付固定されたＴ足の如き取付足部材に、前記支持部を該支持部に穿設された透孔に挿通するボルト・ナットによって螺合固定し、
前記長孔に取付けられたナット部材に吊下支持杆の一端を螺合固定することで該吊下支持杆を斜め吊下げ及び／又は略鉛直吊下げし、
吊下する吊下支持杆の他端に、連結部材を介して配管支持具を吊下固定することで、配管を振止め状態で吊下支持可能な構成であることを特徴とする請求項１〜５のいずれかに記載の配管支持具用振止め吊下具。
【請求項９】
前記吊下支持杆の斜め吊下げが、配管軸方向であることを特徴とする請求項８に記載の配管支持具用振止め吊下具。
【請求項１０】
前記吊下支持杆の斜め吊下げが、配管軸直交方向であることを特徴とする請求項８に記載の配管支持具用振止め吊下具。
【考案の詳細な説明】
【技術分野】
【０００１】
本考案は配管支持具用振止め支持具に関し、詳しくは天井スラブ等の取付面に、水道管、ガス管、冷・暖房管等の各種配管を防振状態で吊下支持する振止め吊下具に関する。
【背景技術】
【０００２】
天井スラブ等の取付面に吊りボルト等の支持部材による吊下支持に加えて、前記取付け面から斜めに垂設した吊下支持杆を付加すること等によって２点支持乃至は３点支持して防振（防震）構造とした技術としては、例えば、特許文献１に記載のものが知られている。
【０００３】
しかし、特許文献１に記載の技術では、吊下支持杆を連結部材を介して吊りボルトに連結しているため、強い揺れや振れ（激震）に対しては強度不足となる虞がある。
【０００４】
そこで本出願人は、激震に適した配管支持具用振止め吊下具を先に提案した（実願２００８−００８２２７号参照）。
【０００５】
この先提案技術は、山形状に曲折したタンバックル本体の頂部板の２つの傾斜面の各々にナット部材を回転自在に取り付け、取付面から斜めに垂設された吊下支持杆に前記ナット部材を螺合固定することで配管支持具を振止め状態で吊下支持することができるようにしたものである。
【０００６】
【特許文献１】実公平０４−０１６５６９号
【考案の開示】
【考案が解決しようとする課題】
【０００７】
本考案者は、かかる技術について更に研究を続けた結果、激震に耐え得る強度を保ちながら吊下支持杆の吊下角度に融通性を持たせた配管支持具用振止め吊下具について要請のあることが判った。
【０００８】
そこで本考案の課題は、激震に適しており、しかも吊下支持杆の吊下角度に融通性を持った配管支持具用振止め吊下具を提供することにある。
【課題を解決するための手段】
【０００９】
上記課題を解決する本考案は下記構成を有する。
【００１０】
１．タンバックル型の吊下具であって、
タンバックル型の吊下具本体の頂部板が略円弧を描く山形状に形成されており、この山形状の頂部板に該頂部板の長手方向に長径を有する長孔が少なくとも一つ穿設され、該長孔に吊下支持杆を螺合固定するナット部材が回転自在に且つ長径方向に遊動可能に取付けられ、前記頂部板の両端が互いに近接する方向に延伸され、この吊下具本体の中心線に略一致状態で当接乃至は略平行状態で近接することで二枚の平板状の支持部が形成され、この二枚の支持部にはボルトを挿通できる透孔が貫通状態で穿設された構成であることを特徴とする配管支持具用振止め吊下具。
【００１１】
２．前記長孔に取付けられたナット部材の底面に当接することで該ナット部材の前記長孔からの脱落を防止する脱落防止板が、前記頂部板の略円弧より小径の同心円弧を描く山形状の板材であって前記頂部板の内側に略平行に配設された構成であることを特徴とする上記１に記載の配管支持具用振止め吊下具。
【００１２】
３．前記脱落防止板が、一枚構成の板材から成り、該板材の両端部を吊下具本体の内側に溶接・固着・接着・カシメ・ネジ止めの如き固定手段で該吊下具本体と一体化した構成であることを特徴とする上記２に記載の配管支持具用振止め吊下具。
【００１３】
４．前記長孔が、前記頂部板の中央を跨いで長手方向両側に延びる一つの長孔であることを特徴とする上記１〜３のいずれかに記載の配管支持具用振止め吊下具。
【００１４】
５．前記長孔が、前記頂部板の長手方向に沿って並ぶ少なくとも二つの長孔であることを特徴とする上記１〜３のいずれかに記載の配管支持具用振止め吊下具。
【００１５】
６．前記支持部に穿設された透孔に挿通するボルト・ナットにより配管支持具を固定し、
前記長孔に取付けられたナット部材に吊下支持杆の一端を螺合固定し、
前記吊下支持杆の他端を、天井スラブ等の取付面に吊下状態で固定することで、配管を振止め状態で吊下支持可能な構成であることを特徴とする上記１〜５のいずれかに記載の配管支持用振止め吊下具。
【００１６】
７．前記吊下支持杆の吊下が略鉛直方向での吊下を含む構成であることを特徴とする上記６に記載の配管支持具用振止め吊下具。
【００１７】
８．天井スラブ等の取付面に取付固定されたＴ足の如き取付足部材に、前記支持部を該支持部に穿設された透孔に挿通するボルト・ナットによって螺合固定し、
前記長孔に取付けられたナット部材に吊下支持杆の一端を螺合固定することで該吊下支持杆を斜め吊下げ及び／又は略鉛直吊下げし、
吊下する吊下支持杆の他端に、連結部材を介して配管支持具を吊下固定することで、配管を振止め状態で吊下支持可能な構成であることを特徴とする上記１〜５のいずれかに記載の配管支持具用振止め吊下具。
【００１８】
９．前記吊下支持杆の斜め吊下げが、配管軸方向であることを特徴とする上記８に記載の配管支持具用振止め吊下具。
【００１９】
１０．前記吊下支持杆の斜め吊下げが、配管軸直交方向であることを特徴とする上記８に記載の配管支持具用振止め吊下具。
【考案の効果】
【００２０】
請求項１に示す考案によれば、激震に適しており、しかも吊下支持杆の吊下角度に融通性を持った配管支持具用振止め吊下具を提供することができる。
【００２１】
特に、吊下支持杆を連結する吊下具がタンバックル型であるため、簡単な構造で高い強度を得ることができ、しかも吊下支持杆を螺合固定するナット部材が吊下具の頂部板に穿設された長孔に長径方向に遊動可能に取付けられた構成であるため、吊下支持杆が様々な角度であっても対応することができる。
【００２２】
請求項２に示す考案によれば、長孔の全域に亘ってナット部材を移動させても該ナット部材の前記長孔からの脱落を防止することができる。
【００２３】
請求項３に示す考案によれば、簡単な構造でナット部材の長孔からの脱落を防止することができる。
【００２４】
請求項４に示す考案によれば、頂部板の中央部を含めた長手方向に亘ってナット部材の取付位置を移動することができるので、斜め吊下だけでなく略鉛直吊下にも対応することができる。
【００２５】
請求項５に示す考案によれば、ナット部材の移動範囲を各々の長孔内に制限することができる。
【００２６】
請求項６に示す考案によれば、配管軸直交方向の揺れに対して防振することができ、特に激震に対しても効果的に防振することができる。
【００２７】
請求項７に示す考案によれば、斜め吊下した吊下支持杆だけでなく略鉛直吊下した吊下支持杆（いわゆる通常の吊りボルトの如き吊下材）にも対応することができる。
【００２８】
請求項８〜１０に示す考案によれば、柔構造・免震構造或いは制振構造の建物における揺れに対して防振することができ、請求項９では配管軸方向への揺れに対して、請求項１０では配管軸直交方向での揺れに対して、各々防振することができる。
【考案を実施するための最良の形態】
【００２９】
本考案に係る配管支持具用振止め吊下具の詳細について、添付の図面に基づき説明する。
【００３０】
図１は本考案に係る配管支持具用振止め吊下具の第１実施例を示す５面図（正面図、平面図、底面図、左側面図、Ａ−Ａ断面図）、図２は図１の第１実施例の使用状態の一例を示す正面図、図３は本考案に係る配管支持具用振止め吊下具の第２実施例を示す２面図（平面図、Ａ−Ａ断面図）、図４は図３の第２実施例の使用状態の一例を示す正面図、図５は使用状態の他の例を示す正面図、図６は使用状態の更に他の例を示す正面図である。尚、図１内のＡ−Ａ断面図及び図３内のＡ−Ａ断面図は、構成を明瞭化するためにナット部材１３については断面としない状態で示している。
【００３１】
先ず、本考案に係る配管支持具用振止め吊下具（以下、単に振止め吊下具ということもある。）の第１実施例について図１及び図２に基き説明する。
【００３２】
本考案に係る振止め吊下具１の第１実施例は、図１に示すような具体的構成を有し、使用に際しては図２に示すように天井スラブ等の取付面２に固定されて垂設される少なくとも２本（本実施例では２本）の吊下支持杆３・３に、配管Ｐを抱持した配管支持具４を配管軸直交方向において吊下げると共に振止めする吊下具である。
【００３３】
第１実施例の振止め吊下具１の具体的構成としては、基本的な構成形状がタンバックル型を有する吊下具であって、タンバックル型の吊下具本体の頂部板１１が略円弧を描く山形状に形成されており、この山形状の頂部板１１に該頂部板の長手方向に長径を有する長孔１２が少なくとも一つ（本実施例では頂部板１１の長手方向に沿って並んだ状態で二つ）穿設され、該長孔１２に吊下支持杆３を螺合固定するナット部材１３が回転自在に且つ長径方向に遊動可能に取付けられ、前記頂部板１１の両端が互いに近接する方向に延伸され、この吊下具本体の中心線に略一致状態で当接乃至は略平行状態で近接（本実施では平行状態で近接）することで二枚の平板状の支持部１４が形成され、この二枚の支持部１４にはボルト（図２に符号４２として示す。）を挿通できる透孔１５が貫通状態で穿設された構成である。
【００３４】
長径１２に取付けられたナット部材１３は、各々長孔１２の長径の範囲内（矢符Ｘ1・Ｘ2で示す範囲）で移動可能であり、該ナット部材１３に螺合固定する吊下支持杆３の取付面２から吊下角度に応じて位置を移動することで最適位置に調整することができる。
【００３５】
振止め吊下具１には、ナット部材１３の長孔１２からの脱落を防止するための脱落防止板１６が設けられている。該脱落防止板１６は、頂部板１１の略円弧より小径の同心円弧を描く山形状の板材であって前記頂部板１１の内側に略平行に配設された構成である。
【００３６】
前記脱落防止板１６の好ましい構成としては、一枚構成の板材から成り、該板材の両端部を吊下具本体の内側に溶接・固着・接着・カシメ・ネジ止めの如き固定手段で該吊下具本体と一体化した構成を挙げることができる。尚、このナット部材１３の脱落防止構成としては、本実施例の脱落防止板１６に限らず、この種の配管支持具においてナット部材を脱落防止状態で且つ回転自在に取付ける構成として公知公用の構成を特別の制限無く採ることができる。尚また、ナット部材１３の構成についても、本実施例のような長孔１２の径よりも大である鍔部を有する構成のものに限定されず、この種の配管支持具において回転自在に取付けられるナット部材の構成として公知公用の構成を特別の制限無く採ることができる。
【００３７】
上記構成を有する振止め吊下具１の本体は、一枚板形状の平板を折曲加工又はプレス加工によって形成することが好ましい。
【００３８】
振止め吊下具１への配管支持具４の取付けは、該配管支持具４の抱持部に配管Ｐを抱持した状態で抱持部両端部（図２に符号４１として示す。）を支持部１４に穿設された透孔１５に挿通するボルト・ナット（図２に符号４２として示す。）により固定する。
【００３９】
尚、配管支持具４は配管Ｐを抱持する構成に限らず、タンバックルの如き吊下具に取付けられることで配管Ｐ（水道管、ガス管、冷・暖房管等の各種配管及び電線等）を取付面２から吊下支持する構成の公知公用の配管支持具類を特別の制限無く用いることができる。
【００４０】
次に、上記構成を有する振止め吊下具１の使用例について説明する。
【００４１】
図２に示すように、支持部１４に穿設された透孔１５に挿通するボルト・ナット４２により配管支持具４の抱持部両端部４１を固定し、頂部板１１の長孔１２に取り付けられたナット部材１３に吊下支持杆３の一端を螺合固定し、前記吊下支持杆３の他端を、天井スラブ等の取付面２に斜め吊下状態で固定することで、配管Ｐを振止め状態で吊下支持することができる。この吊下支持構成によれば、配管軸直交方向への揺れに対して防振することができる。
【００４２】
以上、本考案に係る振止め吊下具１の第１実施例について説明したが、本考案は上記第１実施例に限定されず、本考案の範囲内において他の態様を採ることができる。
【００４３】
例えば、図３及び図４に示す振止め吊下具１の第２実施例は、上記第１実施例において長孔１２を頂部板１１の長手方向に沿って二つ並んで穿設した構成に替えて、長孔１２を前記頂部板１１の中央を跨いで長手方向両側に延びる一つだけ穿設した構成である。
【００４４】
かかる第２実施例の構成によれば、図３に示すようにナット部材１３の移動範囲が矢符Ｘ3・Ｘ4に示す範囲に拡がるため、頂部板１１の中央部を含めた長手方向の略全域に亘ってナット部材１３の取付位置を移動することができるので、図４に示すように斜め吊下だけでなく略鉛直吊下にも対応することができる。
【００４５】
更に、第１実施例及び第２実施例以外の態様とすることもできる。
【００４６】
例えば、長孔１２及び該長孔１２に取付けるナット部材１３の構成について、一つの長孔１２に取付けるナット部材１３の数は第１実施例の一つや第２実施例の二つに限定されず、第１実施例の場合は二つ以上であってもよいし、第２実施例の場合は三つ以上であってもよい。更に、長孔１２を頂部板１１の長手方向に沿って三つ以上並べて穿設した構成としてもよいし、二つ以上の長孔１２の長径を均等にすることなく不均等としてもよい。長孔１２に取付けるナット部材１３の数を増やした場合、吊下現場に応じて用いるナット部材１３の数及び螺合固定する吊下支持杆３の数を適宜決定することができる。
【００４７】
また、長孔１２に回転自在に取付けられるナット部材１３を、凸球面状の鍔部を有する構成のものとすることで、頂部板１１に対して角度可変に取付けられるようにしてもよい。
【００４８】
更にまた、例えば、図５及び図６に示すように他の使用方法での吊下支持にも適用することができる。図５及び図６に示す吊下支持構成は、上記した実施例で示した吊下支持杆３と配管支持具４との間に用いることで両者を連結する構成ではなく、取付面２に固定したＴ足の如き取付足部材５と吊下支持杆３との間に用いることで取付面２から吊下支持杆３を斜めに垂設及び／又は略鉛直に垂設する構成のものである。
【００４９】
即ち、取付面２に取付固定されたＴ足の如き取付足部材５に、支持部１４を該支持部１４に穿設された透孔１５に挿通するボルト・ナット５１によって螺合固定し、頂部板１１の長孔１２に取り付けたナット部材１３に吊下支持杆３の一端を螺合固定することで該吊下支持杆３を斜め吊下げ及び／又は略鉛直吊下げし、この斜め吊下げ及び／又は略鉛直吊下げする吊下支持杆３の他端に、連結部材（図５では符号６、図６では符号７で示す。）を介して配管支持具４を吊下固定することで、配管Ｐを振止め状態で吊下支持する構成である。
【００５０】
図５は吊下支持杆３による斜め吊下げが配管軸方向である態様を示し、当該図５において、連結部材６はＬ字状の連結部材であり、該連結部材６に取付けたナット部材６１に吊下支持杆３を螺合固定する構成となっている。
【００５１】
図６は、吊下支持杆３による斜め吊下げが配管軸直交方向である態様を示し、当該図６において、連結部材７はヘ字状の連結部材であり、該連結部材７に取付けたナット部材７１に吊下支持杆３を螺合固定する構成となっている。
【００５２】
図５及び図６に示す支持構成によれば、柔構造・免振構造或いは制振構造の建物における揺れに対して防振することができ、図５に示す吊下支持構成では配管軸方向への揺れに対して、図６に示す吊下支持構成では配管軸直交方向での揺れに対して、各々防振することができる。
【図面の簡単な説明】
【００５３】
【図１】本考案に係る配管支持具用振止め吊下具の第１実施例を示す５面図（正面図、平面図、底面図、左側面図、Ａ−Ａ断面図）
【図２】図１の第１実施例の使用状態の一例を示す正面図
【図３】本考案に係る配管支持具用振止め吊下具の第２実施例を示す２面図（平面図、Ａ−Ａ断面図）
【図４】図３の第２実施例の使用状態の一例を示す正面図
【図５】使用状態の他の例を示す正面図
【図６】使用状態の更に他の例を示す正面図
【符号の説明】
【００５４】
１  配管支持具用振止め吊下具
１１  頂部板
１２  長孔
１３  ナット部材
１４  支持部
１５  透孔
１６  脱落防止板
２  取付面
３  吊下支持杆
４  配管支持具
４１  バンド端部
４２  ボルト・ナット
５  Ｔ足の如き取付足部材
５１  ボルト・ナット
６  連結部材
６１  ナット部材
７  連結部材
７１  ナット部材
Ｐ  配管
【図１】
0003148848.tif 000003
【図２】
0003148848.tif 000004
【図３】
0003148848.tif 000005
【図４】
0003148848.tif 000006
【図５】
0003148848.tif 000007
【図６】
0003148848.tif 000008